(57)【要約】      （修正有）【課題】少数の施設管理者が持っているメインリモコンキーと多数の施設利用者が持っているサブリモコンキーを識別して、施設利用者がリモコンキーを紛失した場合の施設のセキュリティを向上させた施錠管理装置の提供。【解決手段】門扉に設けた電子錠１，２を遠隔で開施錠操作するメインリモコンキー３とサブリモコンキー４を設け、メインリモコンキー３とサブリモコンキー４からの信号を受ける制御装置５にキーの識別コードを受けて判断する判断手段を設けると共に、メイン識別コードを記憶する記憶部とサブ識別コードを記憶する記憶部を別個に設け、メイン識別コード受信時に完全施錠指令を受けた場合には、サブ識別コードを持ったリモコンキーからの開錠指令を無視することによりサブリモコンキー４での開閉操作を不可能にした。【選択図】図１
2007056644.tif 000002
【特許請求の範囲】
【請求項１】
門扉に設けた電子錠（１），（２）を遠隔で開施錠操作するメインリモコンキー（３）とサブリモコンキー（４）を設け、メインリモコンキー（３）にはサブリモコンキー（４）での開閉操作を不可能にする完全施錠の機能を設けてなる学校や幼稚園の門扉施錠管理装置。
【請求項２】
メインリモコンキー（３）とサブリモコンキー（４）からの信号を受ける制御装置（５）にキーの識別コードを受けて判断する判断手段（１５）を設けると共にメイン識別コードとサブ識別コードを記憶する記憶部（９），（１０）を設け、メイン識別コード受信時に完全施錠指令を受けた場合には、サブ識別コードを持ったリモコンキーからの開錠指令を無視すべくした特許請求の範囲第１項に記載の学校や幼稚園の門扉施錠管理装置。
【請求項３】
メイン識別コードを記憶する記憶部（９）とサブ識別コードを記憶する記憶部（１０）を別々の記憶部として設けると共にそれぞれの変更操作信号を別にしてなる特許請求の範囲第２項に記載の学校や幼稚園の門扉施錠管理装置。
【請求項４】
メインリモコンキー（３）での遠隔操作可能範囲を広く、サブリモコンキー（４）での遠隔操作可能範囲を狭く制限してなる特許請求の範囲第１項に記載の学校や幼稚園の門扉施錠管理装置。
【発明の詳細な説明】
【技術分野】
【０００１】  本発明は、学校や幼稚園等の広い敷地に設ける複数の出入口や門扉の施錠管理装置に関する。
【背景技術】
【０００２】  住宅の玄関や門扉に設けた電子ロック錠をリモコンキーで開閉する場合にそのリモコンキーの識別コードを確認して電子ロック錠の施錠や開錠を制御する施錠管理装置は、例えば特開２００４−１２０２５７号公報に記載されている。
【特許文献１】特開２００４−１２０２５７号公報
【０００３】  この施錠管理装置は、リモコンキーの発信する識別コードが正規に登録したものであるかどうかを確認してリモコンキーで入力する開錠信号で開錠動作するようになっている。
【発明の開示】
【発明が解決しようとする課題】
【０００４】  学校や幼稚園等では、生徒や園児以外に門扉を開いて通行する者として施設の管理者と父兄等の施設利用者があり、それぞれが持っているリモコンキーで門扉に設けた電子錠の開閉を自由に行えるようにすると、施設利用者がリモコンキーを紛失した場合にそのリモコンキーを第三者が悪用する可能性が有って安全の確保上問題が有る。【０００５】  そこで、本発明は、少数の施設管理者が持っているメインリモコンキーと多数の施設利用者が持っているサブリモコンキーを識別することで、夜間や施設閉鎖時に施設管理者の持っているメインリモコンキーで施錠すると施設利用者のサブリモコンキーでは門扉の開錠操作を出来なくすることで施設のセキュリティを向上させることを課題とする。
【課題を解決するための手段】
【０００６】  本発明は、門扉に設けた電子錠１，２を遠隔で開施錠操作するメインリモコンキー３とサブリモコンキー４を設け、メインリモコンキー３にはサブリモコンキー４での開閉操作を不可能にする完全施錠の機能を設けて学校や幼稚園の門扉施錠管理装置とした。【０００７】  より具体的には、メインリモコンキー３とサブリモコンキー４からの信号を受ける制御装置５にキーの識別コードを受けて判別する判断手段１５を設けると共にメイン識別コードとサブ識別コードを記憶する記憶部９，１０を設け、メイン識別コード受信時に完全施錠指令を受けた場合には、サブ識別コードを持ったリモコンキーから開錠指令を受けてもその開錠指令を無視すべくして学校や幼稚園の門扉施錠管理装置を構成した。【０００８】  その際に、メイン識別コードを記憶する記憶部（９）とサブ識別コードを記憶する記憶部（１０）を別々の記憶部として設けると共にそれぞれの変更操作信号を別にすることで、メインリモコンキー３とサブリモコンキー４を変更する場合に誤って識別コードを記憶させることを防げる。【０００９】  また、メインリモコンキー３での遠隔操作可能範囲を広く、サブリモコンキー４での遠隔操作可能範囲を狭く制限することで、メインリモコンキー３の一回操作で離れた位置にある複数の門扉を完全施錠に出来る。
【発明の効果】
【００１０】  前記の構成によれば、施設利用者に持たせるサブリモコンキー４で門扉が開錠操作が出来るのはメインリモコンキー３で完全施錠に設定していない場合のみで、夜間や施設施錠時にメインリモコンキー３で完全施錠にしている場合には多数支給されるサブリモコンキー４での開錠操作が行えなくなるので、サブリモコンキー４が不正に使用されることを防ぐことが出来、施設管理者が学校等の施設に常駐する必要が無く、管理コストが安く出来る。
【実施例】
【００１１】  次に、本発明の一実施例を示す図面を参照しながら説明する。
図１は、全体の構成を示すもので、電話器６に制御装置５を連結していて、この制御装置５は赤外線センサ２１、煙センサ２２、窓センサ２３、ガス漏れ警報器２４、錠センサ１，２からの警報信号を受けると警報器２０を鳴動させたり電話器６へ警報信号を出力したりする。
なお、赤外線センサ２１は、人がよく動く場所を監視できるように設置し、夜間や休日時に人を感知すると制御装置５へ通報する。【００１２】  さらに、制御装置５は、開錠信号を受けた複数の錠センサ１，２からリモコンキー３，４の識別コードを受けて開錠するかどうかの判断を行う。
メインリモコンキー３とサブリモコンキー４ａ，４ｂ，４ｃは、電子錠１，２へ開閉信号を送信するもので、固有の識別コードと共に開閉信号を出すようにしている。また、メインリモコンキー３とサブリモコンキー４は略同一構成であるが、サブリモコンキー４には発信回路に抵抗を加えることで送信距離を２〜３ｍ程度とし、メインリモコンキー３の送信距離である１００ｍ程度よりも短くしている。【００１３】  図２は、警報や開閉信号の流れを示す制御ブロック図で、複数の電子錠１，２を介して入力するメインリモコンキー３やサブリモコンキー４ａ，４ｂ，４ｃからの識別コードと開閉指令を入力端部８に入力し、赤外線センサ２１や煙センサ２２、窓センサ２３、ガス漏れ警報器２４からの信号が入力端部８に入力する。
制御装置５の内部には中央演算装置１５と別々の記憶部としてメイン識別コード記憶部９及びサブ識別コード記憶部１０を設けて、開錠操作したリモコンキー３，４の識別コードがどちらに属しているかを中央演算装置１５で判別するようにしている。【００１４】  メイン識別コード記憶部９はメインリモコンキー３の識別コードを記憶し、サブ識別コード記憶部１０はサブリモコンキー４ａ，４ｂ，４ｃの識別コードを記憶しておく。メインリモコンキー３或いはサブリモコンキー４ａ，４ｂ，４ｃを変更する場合には、識別コードの記憶を変更することになるが、メインリモコンキー３とサブリモコンキー４ａ，４ｂ，４ｃの識別コード変更操作信号を別々にしておくことで誤って識別コードを同じにすることを防げる。【００１５】  制御装置５の出力端部１１からは、複数の電子錠１，２へ開閉指令を送り、電話器６へ警報を通知し、警報機２０へ鳴動指令を出す。電話器６からは管理者の携帯電話７へ不審者侵入などの通知を行う。【００１６】  図３は、リモコンキー３，４による開錠指令に対する判断処理の制御フローチャート図である。
開錠信号をメインリモコンキー３やサブリモコンキー４ａ，４ｂ，４ｃから開錠信号を電子錠１，２に対して送ると、そのリモコンキー３やサブリモコンキー４ａ，４ｂ，４ｃの識別コードと共に開錠指令が中央演算装置１５に入力（Ｓ１）し、完全施錠の状態かを判定し（Ｓ２）、完全施錠であれば識別コードがメインリモコンキー３の識別コードであるメインコードかどうかを判断し（Ｓ３）、メインコードで有れば開錠し（Ｓ５）メインコードでなければ開錠せずそのままにしておく（Ｓ４）。【００１７】  ステップＳ２で完全施錠でなければ、識別コードがメインコードであるかの判定（Ｓ６）を行い、ＹＥＳすなわち開錠指示したリモコンキーがメインリモコンキー３である場合には開錠する。（Ｓ５）【００１８】  また、ステップＳ６で識別コードがメインコードで無い場合には、サブリモコンキー４ａ，４ｂ，４ｃの識別コードであるサブコードであるかの判定を行い（Ｓ７）、サブコードで有れば開錠し（Ｓ５）、サブコードでない場合には開錠せずそのままにしておく。（Ｓ４）【００１９】  図４は、施錠状態の判定フローチャートで、リモコンキー３やサブリモコンキー４ａ，４ｂ，４ｃで施錠信号を錠１，２へ送る（Ｓ１０）と、中央演算装置１５でメインコードであるかの判定を行い（Ｓ１１）、メインコードであれば電子錠１，２を施錠すると共に中央演算装置１５に「完全施錠」として記憶し施錠する。（Ｓ１３）
メインコードでなければサブコードかどうかの判定を行い（Ｓ４）、サブコードであれば電子錠１，２を施錠すると共に中央演算装置１５に「通常施錠」として記憶し施錠しておく。（Ｓ１４）サブコードでもなければ錠１，２は動作しない。（Ｓ１５）【００２０】  なお、電子錠１，２は扉を閉めると自動的に施錠するオートロックにしてもよく、このオートロックは通常施錠状態で、メインリモコンキー３、或いはサブリモコンキー４ａ，４ｂ，４ｃのどちらでも開錠操作できるようにする。【００２１】  メインリモコンキー３は、施設管理者が持つもので、１０個程度有り、サブリモコンキー４は施設利用者が持つもので、１００〜２００個程度ある。【００２２】  なお、本実施例ではメインリモコンキー３とサブリモコンキー４ａ，４ｂ，４ｃの信号送信は無線であるが、電話を含む有線にした場合も本発明に含まれる。その場合には、識別コードを音声や数値信号で入力することになり、信号の入力手段は指紋や声紋や静脈配列或いは網膜情報等の人固有情報でも良い。
【図面の簡単な説明】
【００２３】
【図１】本発明の実施例における全体構成斜視図である。
【図２】本発明の実施例における制御ブロック図である。
【図３】本発明の実施例における制御フローチャート図である。
【図４】本発明の実施例における制御フローチャート図である。
【符号の説明】
【００２４】  １  電子錠
２  電子錠
３  メインリモコンキー
４  サブリモコンキー
５  制御装置
６  電話器
１５  判断手段
【図１】
2007056644.tif 000003
【図２】
2007056644.tif 000004
【図３】
2007056644.tif 000005
【図４】
2007056644.tif 000006